【事件の表示】
　特願２０１５−５４４２９３「コンテンツを表示する方法および装置」拒絶査定不服審判事件〔平成２６年　６月　５日国際公開、ＷＯ２０１４／０８２２９０、平成２８年　３月　３日国内公表、特表２０１６−５０６５５８、請求項の数（６）〕について、次のとおり審決する。
【結　論】
　原査定を取り消す。
　本願の発明は、特許すべきものとする。
【理　由】
第１　手続の経緯
　本願は、２０１２年１１月３０を国際出願日とする出願であって、平成２８年９月２０日付けで拒絶理由通知がされ、平成２９年２月１７日付けで手続補正がされ、同年６月２１日付けで拒絶査定（原査定）がされ、これに対し、同年９月１９日に拒絶査定不服審判の請求がされると同時に、手続補正がされ、平成３０年５月１４日付けで拒絶理由通知（以下、「当審拒絶理由通知」という。）がされ、同年７月１９日付けで手続補正がされたものである。
第２　原査定の概要
　原査定（平成２９年６月２１日付け拒絶査定）の概要は次のとおりである。
１．（新規性）この出願の請求項１−６に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）この出願の請求項１−６に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
　　　　　　　　　　　　　　＜引用文献等一覧＞
Ａ.特開２０１１−２１６０６６号公報
第３　当審拒絶理由の概要
　当審拒絶理由の概要は次のとおりである。
（進歩性）本件出願の請求項１−６に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　引　用　文　献　等　一　覧
引用例１：特開２０１１−２１６０６６号公報（拒絶査定時の引用文献Ａ）
第４　本願発明
　本願請求項１−６に係る発明（以下、それぞれ「本願発明１」−「本願発明６」という。）は、平成３０年７月１９日付けの手続補正書で補正された特許請求の範囲の請求項１−６に記載された事項により特定される発明であり、本願発明１−６は以下のとおりの発明である。
「　【請求項１】
　複数のピクセルをもつスクリーン上にコンテンツを表示する方法であって、スクリーン上での前記複数のピクセルの光強度が調節可能であり、当該方法は、
　スクリーンのすべてのピクセルの光強度を光強度なしまたはより低い光強度に設定するステップであって、前記より低い光強度は、対応するピクセル上に表示されるコンテンツがユーザーにとって知覚可能であることを可能にするものである、ステップと；
　スクリーンのすべてのピクセルの光強度が光強度なしまたは前記より低い光強度に設定されている状態で、タッチするオブジェクトの前記スクリーン上でのタッチを受領するステップと；
　前記タッチするオブジェクトと前記スクリーンとの間の接触点の周囲のピクセルがより高い光強度をもち、残りのピクセル全部が光強度をもたないまたは前記より低い光強度のままであるように、ピクセルの光強度を調節するステップとを含み、
　当該方法はさらに、
　ピクセルの光強度が調節されたときからの所与の時間期間の経過後に、前記ピクセルの光強度を、前記より高い光強度から前記より低い光強度または光強度なしに調節し直すステップを含む、
方法。
　　【請求項２】
　当該方法が前記周囲のピクセルを決定する段階をさらに含み、前記周囲のピクセルは、その中心または重心が前記接触点に対応する領域をなす、請求項１記載の方法。
　　【請求項３】
　前記領域が、正方形、長方形、楕円および円を含む形のうちの一つである、請求項２記載の方法。
　　【請求項４】
　当該方法が、前記タッチするオブジェクトの前記スクリーンとの接触を維持しつつ前記タッチするオブジェクトを前記スクリーン上で動かすステップをさらに含み、動く軌跡に沿ったすべての接触点のすべての周囲のピクセルが前記より高い光強度をもつ、請求項１記載の方法。
　　【請求項５】
　コンテンツを表示するよう構成されているスクリーン上にコンテンツを表示する装置であって、前記スクリーンは、光強度が調節可能である複数のピクセルを有しており、
　タッチするオブジェクトの前記スクリーン上でのタッチを受領するよう構成されている入力モジュールと、
　前記スクリーンのすべてのピクセルの光強度を制御するよう構成されている制御モジュールとを有しており、
　前記制御モジュールは、スクリーンのすべてのピクセルの光強度を光強度なしまたはより低い光強度に設定し、スクリーンのすべてのピクセルの光強度が光強度なしまたは前記より低い光強度に設定されている状態で前記入力モジュールによって受領されたタッチに応答して、前記制御モジュールは、前記タッチするオブジェクトと前記スクリーンとの間の接触点の周囲のピクセルがより高い光強度をもち、残りのピクセル全部が光強度をもたないまたは前記より低い光強度のままであるようにピクセルの光強度を調節し、前記より低い光強度は、ユーザーにとって知覚可能な、対応するピクセル上に表示されるコンテンツを可能にするものであり、
　当該装置がさらに、ピクセルについて時間をカウントするよう構成されたタイミング・モジュールを有しており、
　前記タイミング・モジュールによってカウントされる、ピクセルの光強度が調節されたときからの所与の時間期間の経過後に、前記制御モジュールが、前記ピクセルの光強度を、前記より高い光強度から前記より低い光強度または光強度なしに、または前記より低い光強度または光強度なしから前記より高い光強度に調節し直す、
装置。
　　【請求項６】
　前記入力モジュールが、前記タッチするオブジェクトの前記スクリーンとの接触を維持しながらの前記タッチするオブジェクトの連続的なタッチを受領するよう構成されており、前記制御モジュールは、動く軌跡に沿ったすべての接触点のすべての周囲のピクセルが前記より高い光強度をもつよう光強度を調整するよう構成されている、請求項５記載の装置。」
第５　引用文献、引用発明等
１．引用文献１について
　平成３０年５月１４日付けの拒絶の理由に引用された引用文献１には、図面とともに次の事項が記載されている。
ａ）「【０００１】
  本発明は、情報処理装置に係り、特に、
表示部の輝度の制御
ｂ）「【００１８】
  
表示部１５は、使用者に操作を促す表示や、使用者が操作した内容の表示や、装置の動作状態の表示等に用いられる有機ＥＬディスプレーで
【００１９】
  
タッチパッド１６は、表示部１５の表示画面の大きさと略等しい大きさであって、指やスタイラスペン（以後、指及びスタイラスペンを指等と称する。）が接触されたこと、及び、接触がなくなったことを検出
ｃ）「【００２４】
  
表示部点灯制御機能１１ａは、表示部１５の表示画面の点灯及び消灯を制御し、更に、点灯の際の輝度を制御
ｄ）「【００２９】
  ここで、
通常点灯とは、使用者の容易な視認が可能な輝度での点灯であ
微点灯とは、通常点灯より輝度が小さい点灯であ
ｅ）「【００３２】
  ここで、図２に示すフローチャートを参照して、
輝度変動モードにおける表示部点灯制御機能１１ａによる表示部１５の点灯及び消灯、更に、点灯の際の輝度を制御する動作
消費電力削減のために表示部１５を微点灯又は消灯中にタッチパッド１６への接触が検出されることにより、又は、装置の各部の動作によって新たな表示がされる際、上記制御動作を開始
（ステップＳ１０１）
【００３３】
  表示部点灯制御機能１１ａは、まず、
表示部１５の全表示画面を所定の時間に渡って通常点灯させ
（ステップＳ１０２）
表示部１５の表示画面のうち、接触が検出された位置を含む所定の領域を通常点灯させ、その領域外を暗く点灯させ
（ステップＳ１０３）
ｆ）「【００３６】
  
接触がなくなった、即ち、指等がタッチパッド１６から離れた場合、表示部点灯制御機能１１ａは、所定の待ち時間をおいて（ステップＳ１０５）、ステップＳ１０３で通常点灯及び暗く点灯させた状況を継続させ
その後、表示部１５の全表示画面を所定の時間に渡って通常点灯させ（ステップＳ１０６）、微点灯を経て消灯させ
（ステップＳ１０７）
【００３７】
  なお、
ステップＳ１０２及びステップＳ１０６の全表示画面の通常点灯のステップは、
省いても良
ｇ）「【００３９】
  なお、ステップＳ１０１の動作開始の契機となったタッチパッド１６への接触がソフトキーが表示された位置に行われた場合、
表示部１５が微点灯又は消灯中であれば、
使用者は、表示部１５の表示を視認できない、又は、視認が困難であ
ｈ）「【００４６】
  図３を参照して、第２の
通常点灯させる領域
は、指等が触れた接触位置１５ａを中心とする第１の半径Ｒ１の円内である第１の領域１５ｂであ
第１の半径Ｒ１より大きい第２の半径Ｒ２の円内であり、かつ、第１の領域１５ｂを除いた第２の領域１５ｃを暗く点灯させ
そして、第１の領域１５ｂ及び第２の領域１５ｃ以外である、
第３の領域１５ｄを更に暗く、即ち、第２の領域１５ｃよりも暗く点灯、例えば、微点灯と同じ輝度で点灯させ
なお、更に暗い点灯は、消灯を含む
ｉ）「【００４９】
 
 また、第１の領域１５ｂ及び第２の領域１５ｃは、円状に限るものではな
指等が触れた接触位置１５ａを重心とする楕円であっても良く、長方形であっても良
ｊ）「【００５３】
  
表示部点灯制御機能１１ａは、通常点灯させる領域は透明な画素、暗く点灯させる領域は透明な画素及び黒色の画素、更に暗く点灯させる領域は透明な画素及び黒色の画素からなる輝度制御画像を、輝度制御レイヤとして記憶部の画像メモリに記憶させ
ここで、更に暗く点灯させる領域に含まれる黒色の画素の割合は、暗く点灯させる領域に含まれる黒色の画素より多
【００５４】
  そして、制御部１１の表示機能は、
標準レイヤの上に輝度制御レイヤを重ねる動作を
行わせることによって、輝度が領域毎に制御された
画像を作成させて、表示部１５に表示させ
ｋ）「【００８０】
  以上の説明で、
領域は、通常点灯、暗く点灯、及び更に暗く点灯の３段階の異なる輝度で点灯されるとしたが、
通常点灯及び更に暗く点灯の２段階の異なる輝度で点灯されても良い
　上記下線部及び関連箇所の記載によれば、引用文献１には、表示部の輝度の制御方法として、以下の発明（以下、「引用発明」という。）が記載されている。
　「表示部１５は、使用者に操作を促す表示や、使用者が操作した内容の表示や、装置の動作状態の表示等に用いられる有機ＥＬディスプレーであり、
　タッチパッド１６は、表示部１５の表示画面の大きさと略等しい大きさであって、指やスタイラスペン（以後、指及びスタイラスペンを指等と称する。）が接触されたこと、及び、接触がなくなったことを検出し、
　表示部点灯制御機能１１ａは、表示部１５の表示画面の点灯及び消灯を制御し、更に、点灯の際の輝度を制御し、
　通常点灯とは、使用者の容易な視認が可能な輝度での点灯であり、微点灯とは、通常点灯より輝度が小さい点灯であり、
　輝度変動モードにおける表示部点灯制御機能１１ａによる表示部１５の点灯及び消灯、更に、点灯の際の輝度を制御する動作は、
　消費電力削減のために表示部１５を微点灯又は消灯中にタッチパッド１６への接触が検出されることにより、又は、装置の各部の動作によって新たな表示がされる際、上記制御動作を開始（ステップＳ１０１）し、
　表示部１５の全表示画面を所定の時間に渡って通常点灯させ（ステップＳ１０２）、
　表示部１５の表示画面のうち、接触が検出された位置を含む所定の領域を通常点灯させ、その領域外を暗く点灯させ（ステップＳ１０３）、
　接触がなくなった、即ち、指等がタッチパッド１６から離れた場合、表示部点灯制御機能１１ａは、所定の待ち時間をおいて（ステップＳ１０５）、ステップＳ１０３で通常点灯及び暗く点灯させた状況を継続させ、
　その後、表示部１５の全表示画面を所定の時間に渡って通常点灯させ（ステップＳ１０６）、
　微点灯を経て消灯させ（ステップＳ１０７）るものであり、
　ステップＳ１０２及びステップＳ１０６の全表示画面の通常点灯のステップは、省いても良く、
　表示部１５が微点灯又は消灯中であれば、使用者は、表示部１５の表示を視認できない、又は、視認が困難であり、
　通常点灯させる領域は、指等が触れた接触位置１５ａを中心とする第１の半径Ｒ１の円内である第１の領域１５ｂであり、そして、表示部点灯制御機能１１ａは、第１の領域１５ｂと同じ中心であり、第１の半径Ｒ１より大きい第２の半径Ｒ２の円内であり、かつ、第１の領域１５ｂを除いた第２の領域１５ｃを暗く点灯させ、そして、第１の領域１５ｂ及び第２の領域１５ｃ以外である、第３の領域１５ｄを更に暗く、即ち、第２の領域１５ｃよりも暗く点灯、例えば、微点灯と同じ輝度で点灯させ、なお、更に暗い点灯は、消灯を含むものであり、
　また、第１の領域１５ｂ及び第２の領域１５ｃは、円状に限るものではなく、指等が触れた接触位置１５ａを重心とする楕円であっても良く、長方形であっても良く、
　表示部点灯制御機能１１ａは、通常点灯させる領域は透明な画素、暗く点灯させる領域は透明な画素及び黒色の画素、更に暗く点灯させる領域は透明な画素及び黒色の画素からなる輝度制御画像を、輝度制御レイヤとして記憶部の画像メモリに記憶させ、ここで、更に暗く点灯させる領域に含まれる黒色の画素の割合は、暗く点灯させる領域に含まれる黒色の画素より多く、
　標準レイヤの上に輝度制御レイヤを重ねる動作を行わせることによって、輝度が領域毎に制御された画像を作成させて、表示部１５に表示させ、
　領域は、通常点灯、暗く点灯、及び更に暗く点灯の３段階の異なる輝度で点灯されるとしたが、通常点灯及び更に暗く点灯の２段階の異なる輝度で点灯されても良い
　表示部の輝度の制御の方法。」
第６　対比・判断
１．本願発明１について
（１）対比
　本願発明１と引用発明とを対比する。
ア．引用発明は、「使用者に操作を促す表示や、使用者が操作した内容の表示や、装置の動作状態の表示等に用いられる有機ＥＬディスプレー」である「表示部１５」において、「表示部点灯制御機能１１ａは、通常点灯させる領域は透明な画素、暗く点灯させる領域は透明な画素及び黒色の画素、更に暗く点灯させる領域は透明な画素及び黒色の画素からなる輝度制御画像を、輝度制御レイヤとして記憶部の画像メモリに記憶させ、ここで、更に暗く点灯させる領域に含まれる黒色の画素の割合は、暗く点灯させる領域に含まれる黒色の画素より多く、標準レイヤの上に輝度制御レイヤを重ねる動作を行わせることによって、輝度が領域毎に制御された画像を作成させて、表示部１５に表示させる」「表示部の輝度の制御の方法」であるから、引用発明の「表示部の輝度の制御の方法」は本願発明１の「複数のピクセルをもつスクリーン上にコンテンツを表示する方法であって、スクリーン上での前記複数のピクセルの光強度が調節可能であ」ることに相当するといい得るものである。
イ．引用発明において、「表示部１５」を「消灯」することは、本願発明１の「ピクセルの光強度を光強度なし」に設定することに相当するから、引用発明の「消費電力削減のために
表示部１５を
消灯中
ウ．引用発明のステップＳ１０３は、「表示部１５の表示画面のうち、接触が検出された位置を含む所定の領域を通常点灯させ、その領域外を暗く点灯させ」るものであるから、接触を検出するためにステップＳ１０３が「タッチするオブジェクトの前記スクリーン上でのタッチを受領する」といい得る構成を有することは明らかであり、また、引用発明は「ステップＳ１０２及びステップＳ１０６の全表示画面の通常点灯のステップは、省いても良」いものであるから、引用発明のうち、ステップＳ１０１の後にステップＳ１０２を省いて行われるステップＳ１０３は、本願発明１の「スクリーンのすべてのピクセルの光強度が光強度なしまたは前記より低い光強度に設定されている状態で、タッチするオブジェクトの前記スクリーン上でのタッチを受領するステップ」と「スクリーンのすべてのピクセルの光強度が光強度なしに設定されている状態で、タッチするオブジェクトの前記スクリーン上でのタッチを受領するステップ」である点では共通するといえる。
エ．引用発明は、ステップＳ１０３において「表示部１５の表示画面のうち、接触が検出された位置を含む所定の領域を通常点灯させ、その領域外を暗く点灯させ」るものであり、「通常点灯させる領域は、指等が触れた接触位置１５ａを中心とする第１の半径Ｒ１の円内である第１の領域１５ｂであり、そして、表示部点灯制御機能１１ａは、第１の領域１５ｂと同じ中心であり、第１の半径Ｒ１より大きい第２の半径Ｒ２の円内であり、かつ、第１の領域１５ｂを除いた第２の領域１５ｃを暗く点灯させ、そして、第１の領域１５ｂ及び第２の領域１５ｃ以外である、第３の領域１５ｄを更に暗く、即ち、第２の領域１５ｃよりも暗く点灯、例えば、微点灯と同じ輝度で点灯させ、なお、更に暗い点灯は、消灯を含むものであり」、「領域は、通常点灯、暗く点灯、及び更に暗く点灯の３段階の異なる輝度で点灯されるとしたが、通常点灯及び更に暗く点灯の２段階の異なる輝度で点灯されても良い」ものであるから、引用発明が「接触が検出された位置を含む所定の領域」であり「指等が触れた接触位置１５ａを中心とする第１の半径Ｒ１の円内である第１の領域１５ｂ」である「通常点灯させる領域」を「通常点灯」させることは、本願発明１の「前記タッチするオブジェクトと前記スクリーンとの間の接触点の周囲のピクセルがより高い光強度をも」つように「ピクセルの光強度を調節する」ことに相当する。
　また、引用発明のうち、「その領域外を暗く点灯させ」るものであり、「通常点灯及び更に暗く点灯の２段階の異なる輝度で点灯」するものは、「通常点灯」される「第１の領域１５ｂ」以外の領域全てを「消灯」を含む「更に暗く点灯」させるものが想定できるから、本願発明１の「残りのピクセル全部が光強度をもたないまたは前記より低い光強度のままであるように、ピクセルの光強度を調節する」ことと「残りのピクセル全部が光強度をもたないままであるように、ピクセルの光強度を調節する」点では共通するといえる。
　したがって、引用発明は、本願発明１の「前記タッチするオブジェクトと前記スクリーンとの間の接触点の周囲のピクセルがより高い光強度をもち、残りのピクセル全部が光強度をもたないまたは前記より低い光強度のままであるように、ピクセルの光強度を調節するステップ」と「前記タッチするオブジェクトと前記スクリーンとの間の接触点の周囲のピクセルがより高い光強度をもち、残りのピクセル全部が光強度をもたないままであるように、ピクセルの光強度を調節するステップ」である点で共通する構成を有するといえる。
オ．引用発明は、「接触がなくなった、即ち、指等がタッチパッド１６から離れた場合、表示部点灯制御機能１１ａは、所定の待ち時間をおいて（ステップＳ１０５）、ステップＳ１０３で通常点灯及び暗く点灯させた状況を継続させ、その後、表示部１５の全表示画面を所定の時間に渡って通常点灯させ（ステップＳ１０６）、微点灯を経て消灯させ（ステップＳ１０７）るものであり、ステップＳ１０２及びステップＳ１０６の全表示画面の通常点灯のステップは、省いても良」いものであるから、引用発明のうち、ステップＳ１０５の後にステップＳ１０６を省いて行われるステップＳ１０７は、本願発明１の「ピクセルの光強度が調節されたときからの所与の時間期間の経過後に、前記ピクセルの光強度を、前記より高い光強度から前記より低い光強度または光強度なしに調節し直すステップ」と「所与の時間期間の経過後に、前記ピクセルの光強度を、前記より高い光強度から前記光強度なしに調節し直すステップ」である点で共通するといえる。
　したがって、両者は以下の一致点と相違点とを有する。
〈一致点〉
「複数のピクセルをもつスクリーン上にコンテンツを表示する方法であって、スクリーン上での前記複数のピクセルの光強度が調節可能であり、当該方法は、
　スクリーンのすべてのピクセルの光強度を光強度なしに設定するステップと；
　スクリーンのすべてのピクセルの光強度が光強度なしに設定されている状態で、タッチするオブジェクトの前記スクリーン上でのタッチを受領するステップと；
　前記タッチするオブジェクトと前記スクリーンとの間の接触点の周囲のピクセルがより高い光強度をもち、残りのピクセル全部が光強度をもたないままであるように、ピクセルの光強度を調節するステップとを含み、
　当該方法はさらに、
　所与の時間期間の経過後に、前記ピクセルの光強度を、前記より高い光強度から前記光強度なしに調節し直すステップを含む、
方法 。」
〈相違点１〉
　本願発明１は、「スクリーンのすべてのピクセルの光強度を
光強度なしまたはより低い光強度
または前記より低い光強度
より低い光強度または
〈相違点２〉
　本願発明１は、「ピクセルの光強度が調節されたときからの所与の時間期間の経過後に」、「前記より低い光強度または光強度なしに調節し直す」ものであるのに対して、引用発明は、「接触がなくなった、即ち、指等がタッチパッド１６から離れた場合、」「所定の待ち時間をおいて」、「微点灯を経て消灯させる」ものである点。
（２）相違点についての判断
　上記相違点１について判断すると、上記引用文献１には、「表示部１５の表示を視認できない、又は、視認が困難」である「点灯又は消灯」とすることは記載されているものの、上記相違点１に係る本願発明１の「スクリーンのすべてのピクセルの光強度を
光強度なしまたはより低い光強度
または前記より低い光強度
より低い光強度または
　また、引用発明において、「表示部１５の表示を視認できない、又は、視認が困難」である「点灯又は消灯」とすることを、「光強度を
光強度なしまたはより低い光強度
　したがって、他の相違点について判断するまでもなく、本願発明１は、当業者であっても引用発明に基づいて容易に発明できたものであるとはいえない。
２．本願発明２−４について
　本願発明２−４は、本願発明１を引用するものであり、上記「１．請求項１について」にて述べたのと同じ理由により、当業者であっても引用発明に基づいて容易に発明できたものであるとはいえない。
３．本願発明５について
　本願発明５も、本願発明１の「スクリーンのすべてのピクセルの光強度を
光強度なしまたはより低い光強度
または前記より低い光強度
より低い光強度または
４．本願発明６について
　本願発明６は、本願発明５を引用するものであり、上記「３．請求項５について」にて述べたのと同じ理由により、当業者であっても引用発明に基づいて容易に発明できたものであるとはいえない。
第７　原査定について
　本願発明１−６は、「スクリーンのすべてのピクセルの光強度を
光強度なしまたはより低い光強度
または前記より低い光強度
より低い光強度または
　したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。